(57)【要約】      （修正有）【課題】チャージポンプ回路を提供する。【解決手段】チャージポンプ回路１００は、第１のクロック入力に結合された第１の昇圧コンデンサ１０２、回路入力に結合された第１の充電スイッチ１０６、回路出力に結合された第１の放電スイッチ１０８を含む、第１の電荷転送回路経路と、第２のクロック入力に結合された第２の昇圧コンデンサ１０４、回路入力に結合された第２の充電スイッチ１１０、回路出力に結合された第２の放電スイッチ１１２を含む第２の電荷転送回路経路と、第１の充電スイッチのゲート入力に結合された第１のゲートスイッチ１１４、第２の充電スイッチのゲート入力に結合された第１のゲート駆動コンデンサ１１６を含む、第１の充電制御回路と、第２の充電スイッチのゲート入力に結合された第２のゲートスイッチ１２０、第１の充電スイッチのゲート入力に結合された第２のゲート駆動コンデンサ１１８を含む、第２の充電制御回路と、を備える。【選択図】図１
2019201546.tif 000002
【特許請求の範囲】
【請求項１】
第１のクロック入力に結合された第１の昇圧コンデンサ、回路入力に結合された第１の充電スイッチ、および回路出力に結合された第１の放電スイッチを含む、結合された第１の電荷転送回路経路であって、前記第１の充電スイッチのソースまたはドレイン接続は、前記第１の放電スイッチのソースまたはドレイン接続に結合されている、第１の電荷転送回路経路と、
第２のクロック入力に結合された第２の昇圧コンデンサ、前記回路入力に結合された第２の充電スイッチ、および前記回路出力に結合された第２の放電スイッチを含む第２の電荷転送回路経路であって、前記第２の充電スイッチのソースまたはドレイン接続は、前記第２の放電スイッチのソースまたはドレイン接続に結合されている、第２の電荷転送回路経路と、
前記第１の充電スイッチのゲート入力に結合された第１のゲートスイッチ、ならびに第３のクロック入力および前記第２の充電スイッチのゲート入力に結合された第１のゲート駆動コンデンサを含む、第１の充電制御回路と、
前記第２の充電スイッチの前記ゲート入力に結合された第２のゲートスイッチ、ならびに第４のクロック入力および前記第１の充電スイッチの前記ゲート入力に結合された第２のゲート駆動コンデンサを含む、第２の充電制御回路と、を備えた、チャージポンプ回路。
【請求項２】
前記第１の昇圧コンデンサが、前記第２の放電スイッチのゲート入力に結合され、前記第２の昇圧コンデンサが、前記第１の放電スイッチのゲート入力に結合されている、請求項１に記載のチャージポンプ回路。
【請求項３】
前記第１のゲートスイッチのゲート入力が、前記第１のゲート駆動コンデンサに結合され、前記第２のゲートスイッチのゲート入力が、前記第２のゲート駆動コンデンサに結合されている、請求項１に記載のチャージポンプ回路。
【請求項４】
前記第１のゲートスイッチのゲート入力が、前記第１の昇圧コンデンサに結合され、前記第２のゲートスイッチのゲート入力が、前記第２の昇圧コンデンサに結合されている、請求項１に記載のチャージポンプ回路。
【請求項５】
前記第１の充電スイッチの前記ゲート入力、および前記第２の充電スイッチの前記ゲート入力における電圧を、制限するように結合されたクランプ回路を含む、請求項１に記載のチャージポンプ回路。
【請求項６】
前記第１のクロック入力および前記第３のクロック入力が、第１のクロック信号を受け取り、前記第２のクロック入力および前記第４のクロック入力が、前記第１のクロック信号と反対の信号極性を有する第２のクロック信号を受け取る、請求項１記載のチャージポンプ回路。
【請求項７】
前記第１、第２、第３、および第４のクロック入力各々が、５つの動作状態を通じて前記チャージポンプ回路を進めるために別々のクロック信号を受け取る、請求項１に記載のチャージポンプ回路。
【請求項８】
前記第１、第２、第３、および第４のクロック入力各々は、それぞれ第１、第２、第３、および第４のクロック信号を受け取り、前記第１と第２のクロック信号が、反対の極性を有して重ならず、前記第３と第４のクロック信号が、反対の極性を有して重ならない、請求項１に記載のチャージポンプ回路。
【請求項９】
前記第１および第２の電荷転送経路が、第１段入力と第１段出力との間の第１のチャージポンプ段に含まれ、
前記チャージポンプ回路が、第２段入力と第２段出力との間に結合された第３および第４の電荷転送経路を含む第２のチャージポンプ段をさらに含み、かつ
前記第１段出力が、前記第２段入力に結合されている、請求項１に記載のチャージポンプ回路。
【請求項１０】
前記第３のクロック入力、および前記第２の放電スイッチのゲート入力に結合された第３のゲート駆動コンデンサと、
前記第４のクロック入力、および前記第１の放電スイッチのゲート入力に結合された第４のゲート駆動コンデンサと、を含む、請求項１〜９のいずれか１項に記載のチャージポンプ回路。
【請求項１１】
第１のクロック入力に結合された第１の昇圧コンデンサ、回路入力に結合された第１の充電スイッチ、および回路出力に結合された第１の放電スイッチを含む、結合された第１の電荷転送回路経路であって、前記第１の充電スイッチのソースまたはドレイン接続は、前記第１の放電スイッチのソースまたはドレイン接続に結合されている、第１の電荷転送回路経路と、
第２のクロック入力に結合された第２の昇圧コンデンサ、前記回路入力に結合された第２の充電スイッチ、および前記回路出力に結合された第２の放電スイッチを含む第２の電荷転送回路経路であって、前記第２の充電スイッチのソースまたはドレイン接続は、前記第２の放電スイッチのソースまたはドレイン接続に結合されている、第２の電荷転送回路経路と、
前記第１の放電スイッチのゲート入力に結合された第１のゲートスイッチ、ならびに第３のクロック入力および前記第２の放電スイッチのゲート入力に結合された第１のゲート駆動コンデンサを含む、第１の充電制御回路と、
前記第２の放電スイッチの前記ゲート入力に結合された第２のゲートスイッチ、ならびに第４のクロック入力および前記第１の放電スイッチの前記ゲート入力に結合された第２のゲート駆動コンデンサを含む、第２の充電制御回路と、を備えた、チャージポンプ回路。
【請求項１２】
前記第１の昇圧コンデンサが、前記第２の放電スイッチのゲート入力に結合され、前記第２の昇圧コンデンサが、前記第１の放電スイッチのゲート入力に結合されている、請求項１１に記載のチャージポンプ回路。
【請求項１３】
前記第１のゲートスイッチのゲート入力が、前記第１のゲート駆動コンデンサに結合され、前記第２のゲートスイッチのゲート入力が、前記第２のゲート駆動コンデンサに結合されている、請求項１１に記載のチャージポンプ回路。
【請求項１４】
前記第１のゲートスイッチのゲート入力が、前記第１の昇圧コンデンサに結合され、前記第２のゲートスイッチのゲート入力が、前記第２の昇圧コンデンサに結合される、請求項１１に記載のチャージポンプ回路。
【請求項１５】
前記第１の放電スイッチの前記ゲート入力、および前記第２の放電スイッチの前記ゲート入力における電圧を、制限するように結合されたクランプ回路を含む、請求項１１に記載のチャージポンプ回路。
【請求項１６】
前記第１のクロック入力および前記第３のクロック入力が、第１のクロック信号を受け取り、前記第２のクロック入力および前記第４のクロック入力が、前記第１のクロック信号と反対の信号極性を有する第２のクロック信号を受け取る、請求項１１記載のチャージポンプ回路。
【請求項１７】
前記第１、第２、第３、および第４のクロック入力各々が、５つの動作状態を通じて前記チャージポンプ回路を進めるために別々のクロック信号を受け取る、請求項１１に記載のチャージポンプ回路。
【請求項１８】
前記第１、第２、第３、および第４のクロック入力各々は、それぞれ第１、第２、第３、および第４のクロック信号を受け取り、前記第１と第２のクロック信号が、反対の極性を有して重ならず、前記第３と第４のクロック信号が、反対の極性を有して重ならない、請求項１１に記載のチャージポンプ回路。
【請求項１９】
前記第３のクロック入力、および前記第２の放電スイッチのゲート入力に結合された第３のゲート駆動コンデンサと、
前記第４のクロック入力、および前記第１の充電スイッチのゲート入力に結合された第４のゲート駆動コンデンサと、を含む、請求項１１〜１８のいずれか１項に記載のチャージポンプ回路。
【請求項２０】
第１のクロック入力に結合された第１の昇圧コンデンサ、回路入力に結合された第１の充電スイッチ、および回路出力に結合された第１の放電スイッチを含む、結合された第１の電荷転送回路経路と、
第２のクロック入力および前記第１の放電スイッチのゲート入力に結合された第２の昇圧コンデンサ、前記回路入力に結合された第２の充電スイッチ、ならびに前記回路出力に結合され、および前記第１の昇圧コンデンサに結合されたゲート入力を含む第２の放電スイッチを含む、第２の電荷転送回路経路と、
前記第１の充電スイッチのゲート入力に結合された第１のゲートスイッチ、ならびに第３のクロック入力および前記第２の充電スイッチのゲート入力に結合された第１のゲート駆動コンデンサを含む、第１の充電制御回路と、
前記第２の充電スイッチの前記ゲート入力に結合された第２のゲートスイッチ、ならびに第４のクロック入力および前記第１の充電スイッチの前記ゲート入力に結合された第２のゲート駆動コンデンサを含む、第２の充電制御回路と、を含む、  チャージポンプ回路と、
ゲート入力を含むパス回路と、
前記チャージポンプ回路出力に結合され、調整された電圧を前記パス回路の前記ゲート入力に供給するように構成された低ドロップアウト（ＬＤＯ）回路と、を備えた、電子回路。
【請求項２１】
前記第１のクロック入力および前記第３のクロック入力が、第１のクロック信号を受け取り、前記第２のクロック入力および前記第４のクロック入力が、前記第１のクロック信号と反対の信号極性を有する第２のクロック信号を受け取る、請求項２０に記載のチャージポンプ回路。
【請求項２２】
前記第１、第２、第３、および第４のクロック入力各々が、５つの動作状態を通じて前記チャージポンプ回路を進めるために別々のクロック信号を受け取る、請求項２０に記載のチャージポンプ回路。
【発明の詳細な説明】
【技術分野】
【０００１】
この文書は集積回路に関し、特に、電源電圧から昇圧電圧を供給するチャージポンプ回路または昇圧回路に関する。
【背景技術】
【０００２】
集積回路設計においては、電源電圧（例えば電池電圧）をより高い電圧に昇圧する必要があり得る。この昇圧は、電荷がコンデンサに転送され、次にチャージポンプ回路の電圧供給を超える出力電圧を産出するために加算されるチャージポンプ回路を使用して達成することができる。低電力用途には高効率回路が望ましい。しかしながら、チャージポンプ回路は、回路の動作中の漏洩および他の寄生効果のために非効率的になり得る。
【発明の概要】
【０００３】
この文書は、一般に集積回路に関し、特に、集積回路用の電源電圧などの入力電圧から昇圧電圧を生成する回路に関する。いくつかの実施形態におい、チャージポンプ回路は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力に結合された第２の昇圧コンデンサ、回路入力に結合された第２の充電スイッチ、および回路出力に結合された第２の放電スイッチを含む、第２の電荷転送回路経路と、第１の充電スイッチのゲート入力に結合された第１のゲートスイッチ、および第２の充電スイッチのゲート入力に結合された第１のゲート駆動コンデンサを含む、第１の充電制御回路と、第２の充電スイッチのゲート入力に結合された第２のゲートスイッチ、および第１の充電スイッチのゲート入力に結合された第２のゲート駆動コンデンサを含む、第２の充電制御回路と、を備える。
【０００４】
いくつかの実施形態において、チャージポンプ回路は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力に結合された第２の昇圧コンデンサ、回路入力に結合された第２の充電スイッチ、および回路出力に結合された第２の放電スイッチを含む、第２の電荷転送回路経路と、第１の放電スイッチのゲート入力に結合された第１のゲートスイッチ、ならびに第３のクロック入力および第２の放電スイッチのゲート入力に結合された第１のゲート駆動コンデンサを含む、第１の充電制御回路と、第２の放電スイッチのゲート入力に結合された第２のゲートスイッチ、ならびに第４のクロック入力および第１の放電スイッチのゲート入力に結合された第２のゲート駆動コンデンサを含む、第２の充電制御回路と、を備える。
【０００５】
いくつかの態様において、電子回路は、チャージポンプ回路と、ゲート入力を含むパス回路と、チャージポンプ回路出力に結合され、パス回路のゲート入力に、調整された電圧を供給するように構成された低ドロップＬＤＯ回路と、を備える。チャージポンプ回路は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力および第１の放電スイッチのゲート入力に結合された第２の昇圧コンデンサ、回路入力に結合された第２の充電スイッチ、ならびに回路出力に結合され、および第１の昇圧コンデンサに結合されたゲート入力を含む第２の放電スイッチを含む、第２の電荷転送回路経路と、第１の放電スイッチのゲート入力に結合された第１のゲートスイッチ、ならびに第３のクロック入力および第２の放電スイッチのゲート入力に結合された第１のゲート駆動コンデンサを含む、第１の充電制御回路と、第２の放電スイッチのゲート入力に結合された第２のゲートスイッチ、ならびに第４のクロック入力および第１の放電スイッチのゲート入力に結合された第２のゲート駆動コンデンサを含む、第２の充電制御回路と、を含む。
【０００６】
この節は、本特許出願の構成要件の概要を提供することを意図している。それは、本発明の排他的または網羅的な説明を提供することを意図するものではない。詳細な説明は、本特許出願に関するさらなる情報を提供するために含まれる。
【図面の簡単な説明】
【０００７】
必ずしも一定の縮尺で描かれていない図面において、同様の数字は、異なる図において同様の構成要素を説明することがある。異なる文字の接尾辞を有する類似の数字は、類似の構成要素の異なる事例を表し得る。図面は、概して、例として、しかし限定としてではなく、本文書で論じられている様々な実施形態を示している。
【０００８】
【図１】ある態様におけるチャージポンプ回路の回路図である。
【図２】ある態様における、チャージポンプ回路を駆動するために使用されるクロック信号のタイミング図である。
【図３】別の態様におけるチャージポンプ回路の回路図である。
【図４】別の態様におけるチャージポンプ回路の回路図である。
【図５】別の態様における、チャージポンプ回路を駆動するために使用されるクロック信号のタイミング図である。
【図６】ある態様におけるチャージポンプ回路の動作状態遷移の流れ図である。
【図７】別の態様におけるチャージポンプ回路の回路図である。
【図８】別の態様におけるチャージポンプ回路の回路図である。
【図９】別の態様におけるチャージポンプ回路の回路図である。
【図１０】別の態様におけるチャージポンプ回路の回路図である。
【図１１】別の態様におけるチャージポンプ回路のブロック図である。
【図１２】別の態様におけるチャージポンプ回路のブロック図である。
【図１３】ある態様における電子回路の図である。
【発明を実施するための形態】
【０００９】
この文書は、入力電源電圧よりも高い昇圧出力電圧を生成するチャージポンプ回路に関する。低電力用途では、チャージポンプ回路を低入力電圧（ＶＩＮ）で動作させることが望ましい。しかしながら、従来のチャージポンプ回路は低電圧では非効率的であり得る。
【００１０】
図１は、ある態様におけるチャージポンプ回路１００の回路図である。本回路は、２つの非同期電荷転送回路経路を含む。充放電サイクルの第１の部分では、電荷転送経路のうちの１つの昇圧コンデンサ１０２が入力電圧ＶＩＮを使用して充電され、充放電サイクルの第２の部分では、昇圧コンデンサ１０２の電圧はクロック信号（ＣＬＫ１）の電圧に加算されて、出力ＶＯＵＴに供給される。昇圧コンデンサのこの充放電サイクルは、出力電圧（ＶＯＵＴ）を生成するために、他の電荷転送経路の昇圧コンデンサ１０４の充放電サイクルと交互に行われる。ＣＬＫ信号の電圧が、ＶＩＮとほとんど同じである場合、生成されるＶＯＵＴはＶＩＮの約２倍である。
【００１１】
図１において、第１の電荷転送回路経路は、昇圧コンデンサ１０２、充電スイッチ１０６、および放電スイッチ１０８を含む。スイッチは電界効果トランジスタ（ＦＥＴ）とすることができる。図１に示すように、充電スイッチ１０６はｎチャネルＦＥＴ（ＮＦＥＴまたはＮＭＯＳトランジスタ）とすることができ、放電スイッチ１０８は、ｐ−チャネルＦＥＴ（ＰＦＥＴまたはＰＭＯＳトランジスタ）とすることができる。昇圧コンデンサ１０２は、クロック信号（ＣＬＫ１）に接続されている。クロック信号の第１の位相では、クロック信号がローのときに、充電スイッチ１０６が活性化されて入力電圧を昇圧コンデンサに供給する。クロック信号の第２の位相では、放電スイッチ１０８が活性化され、昇圧コンデンサの電圧ＶＩＮがクロック信号に加えられて回路出力（ＶＯＵＴ）に供給される。出力におけるコンデンサＣＬＯＡＤは、出力容量性負荷を表す。電圧ＶＢＩＡＳは、回路接地または他の電圧レベルであり得る。
【００１２】
第２の電荷転送回路経路は、昇圧コンデンサ１０４、充電スイッチ１１０、および放電スイッチ１１２を含む。第１の電荷転送経路と同様に、充電スイッチ１１０はＮＦＥＴとすることができ、放電スイッチ１１２はＰＦＥＴとすることができる。昇圧コンデンサ１０４は、第２のクロック信号（ＣＬＫ２）に接続されている。第２の電荷転送経路の電荷転送は、昇圧コンデンサ１０４の充電および放電が、昇圧コンデンサ１０２の充電および放電と位相がずれていることを除いて、第１の電荷転送経路の変更転送と同様に機能する。
【００１３】
図２は、ある態様における、図１のチャージポンプ回路を駆動するために使用されるクロック信号のタイミング図である。クロック信号は、各々５０％のデューティサイクルを有し、反対の極性または反対の位相を有する。例として、クロック信号は、各々４０メガヘルツ（４０ＭＨｚ）の周波数を有することができる。電荷転送経路は反対の位相で動作するので、回路出力に供給される電圧は、ほぼ、ＶＩＮプラスクロック信号の電圧、マイナス、スイッチを通過することによる電圧降下およびコンデンサの損失の和である。
【００１４】
図１に戻ると、チャージポンプ回路１００はまた、充電スイッチのゲート入力を制御するためのチャージ制御回路を含む。第１の充電制御回路は、第２の充電スイッチ１１０のゲート入力およびクロック信号ＣＬＫ１に結合されている、ゲート駆動コンデンサ１１６を含む。第２の充電制御回路は、第１の充電スイッチ１０６のゲート入力およびクロック信号ＣＬＫ２に結合されている、ゲート駆動コンデンサ１１８を含む。ゲート駆動コンデンサの容量は、昇圧コンデンサの容量より小さい。ゲート駆動コンデンサは、クロック信号がローのときに充電され、ゲート駆動コンデンサの電圧は、充電スイッチのゲートを駆動するために使用される。放電スイッチのゲート入力は、昇圧コンデンサをゲート入力に交差結合することによって駆動される。第１の昇圧コンデンサ１０２は、第２の放電スイッチ１１２のゲート入力に結合され、第２の昇圧コンデンサ１０４は、第１の放電スイッチ１０８のゲート入力に結合されている。
【００１５】
第１の充電制御回路はまた、第１の充電スイッチ１０６のゲート入力に結合されたゲートスイッチ１１４を含み、第２の充電制御回路は、第２の充電スイッチ１１０のゲート入力に結合されたゲートスイッチ１２０を含む。図１の例においては、ゲートスイッチ１１４および１２０はＮＦＥＴである。昇圧コンデンサで放電スイッチのゲート入力を制御し、別々のゲート駆動コンデンサで充電スイッチのゲート入力を制御すると、充電スイッチと放電スイッチのゲート入力での寄生電荷共有の影響を減らすことができる。
【００１６】
チャージポンプ回路１００はまた、充電スイッチのゲートに結合されたクランプ回路を含む。図１においては、クランプ回路は、ソースがゲートに電気的に短絡されたＰＦＥＴ１２２および１２４を含む。特定の態様においては、ダイオードをＰＦＥＴ１２２および１２４の代わりに使用することができる。ゲートスイッチおよびクランプ回路は、充電スイッチのゲートの電圧を制限して、ゲート端子間の電圧が降伏電圧を超えないようにするのに役立つ。
【００１７】
図３は、別の態様におけるチャージポンプ回路３００の回路図である。図１の回路と同様に、チャージポンプ回路は２つの電荷転送経路と２つの制御回路とを含む。図３の回路は、ゲートスイッチへのゲート入力が、昇圧コンデンサによって制御されるという点で図１の回路と異なる。ゲートスイッチ３１４のゲート入力は昇圧コンデンサ３０２に結合され、ゲートスイッチ３２０のゲート入力は昇圧コンデンサ３０４に結合されている。
【００１８】
図４は、別の態様におけるチャージポンプ回路４００の回路図である。本回路は、別々のクロック入力が、昇圧コンデンサとゲート駆動コンデンサのための別々のクロック信号を受け取ることを除いて、図２のチャージポンプ回路２００と同じである。クロック信号ＣＬＫ１およびクロック信号ＣＬＫ２は、図１の回路と同様に、それぞれ昇圧コンデンサ４０２および４０４に接続されている。ＣＬＫ１とは別の第３のクロック信号ＣＬＫ３がゲート駆動コンデンサ４１６に供給され、クロック信号ＣＬＫ２とは別の第４のクロック信号ＣＬＫ４がゲート駆動コンデンサ４１８に供給されている。異なるスイッチが、４つのクロック信号の異なる位相に同期している。これにより、回路出力から回路入力に向かって逆電流が流れるのを防ぐ。４相クロック信号方式により、ＰＦＥＴ放電スイッチがオンになる前にＮＦＥＴ充電スイッチがオフになる。それは、また、昇圧コンデンサのクロック信号がハイになり、放電スイッチがオンになる前に、昇圧コンデンサは電荷を転送する準備が整うことを確実にする。４相クロック信号方式の動作は、ＶＩＮ電圧が高いほど効率的である。
【００１９】
図５は、ある態様における、図４のチャージポンプ回路を駆動するために使用されるクロック信号のタイミング図である。クロック信号は、チャージポンプ回路と同じ集積回路上に含まれるクロック回路を使用して生成することができる。非限定的な例においては、クロック信号ＣＬＫ３およびＣＬＫ２に対するデューティサイクル（すなわち、クロック信号がローである時間と比較してクロック信号がハイである時間）は４４％であり得、クロック信号ＣＬＫ１およびＣＬＫ４に対するデューティサイクルは５２％であり得る。クロック信号ＣＬＫ１とＣＬＫ４は、重複しないクロック信号であり得、クロック信号ＣＬＫ２とＣＬＫ３は、重複しないクロック信号であり得る。
【００２０】
４相クロック信号方式は、ある態様では、チャージポンプ回路４００を５つの動作状態を通して進める。タイミング図において、時間ｔ１は状態１に対応し、状態１では、コンデンサ４０２および４１６へのクロック信号（ＣＬＫ１、ＣＬＫ３）はハイであり、コンデンサ４０４および４１８へのクロック信号（ＣＬＫ２、ＣＬＫ４）はローである。放電スイッチ４０８は、昇圧コンデンサ４０２を出力に放電するためにオンである。ゲート駆動コンデンサ４１６は、充電スイッチ４１０をオンにして昇圧コンデンサ４０４を充電し、かつゲートスイッチ４１４をオンにしてゲート駆動コンデンサ４１８を充電する。充電スイッチ４０６、放電スイッチ４１２、およびゲートスイッチ４２０はオフである。
【００２１】
時間ｔ２は、ＣＬＫ３がローに遷移して、充電スイッチ４１０およびゲートスイッチ４１４をオフにした後の状態２に対応する。放電スイッチ４０８はオンのままであり、充電スイッチ４０６、放電スイッチ４１２、およびゲートスイッチ４２０はオフのままである。
【００２２】
時間ｔ３は、ＣＬＫ２がハイに遷移した後の状態３に対応する。ＣＬＫ１は依然としてハイであり、ＣＬＫ３とＣＬＫ４はローである。全てのスイッチがオフである。いくらかの放電電流は、昇圧コンデンサ４０４から放電スイッチ４１２の寄生ダイオードを通って出力に流れる。
【００２３】
時間ｔ４は、ＣＬＫ１がローに遷移した後の状態４に対応する。ＣＬＫ２は依然としてハイであり、ＣＬＫ３とＣＬＫ４はローである。放電スイッチ４１２は、昇圧コンデンサ４０４を出力に放電するためにオンである。いくらかの充電電流が、入力から充電スイッチ４０６の寄生ダイオードを通って昇圧コンデンサ４０２に流れる。
【００２４】
時間ｔ５は、ＣＬＫ４がハイに遷移した後の状態５に対応する。ＣＬＫ２は依然としてハイであり、ＣＬＫ３およびＣＬＫ１はローである。充電スイッチ４０６は、昇圧コンデンサ４０６を充電するためにオンであり、ゲートスイッチ４２０は、ゲート駆動コンデンサ４１６を充電するためにオンである。放電スイッチ４１２は、昇圧コンデンサ４０４を出力に放電するために、依然としてオンである。
【００２５】
チャージポンプはその後、状態５から中間状態４〜２を経て状態１に戻る。時間ｔ６においては、チャージポンプ回路は依然として状態５にある。チャージポンプは、時間ｔ７で状態４に、時間ｔ８で状態３に、時間ｔ９で状態２に、そして時間ｔ１０で状態１に戻る。図６は動作状態遷移のフロー図である。クロック信号は、チャージポンプ回路を状態１から中間状態２〜４を通って状態５に戻す遷移を繰り返す。
【００２６】
図４のチャージポンプ回路は、状態１で昇圧コンデンサ４０２を放電して昇圧コンデンサ４０４を充電し、状態５で昇圧コンデンサ４０２を充電して昇圧コンデンサ４０４を放電し、昇圧電圧ＶＯＵＴを生成することが分かる。いずれの動作状態でも逆電流は流れない。
【００２７】
図７は、別の態様におけるチャージポンプ回路７００の回路図である。このバージョンでは、チャージポンプ回路７００は、以前のように２つの電荷転送回路経路を含む。しかしながら、昇圧コンデンサは充電スイッチのゲート入力を制御するために使用され、ゲート駆動コンデンサは放電スイッチのゲート入力を制御するために使用される。昇圧コンデンサ７０２は充電スイッチ７１０のゲート入力に接続され、昇圧コンデンサ７０４は充電スイッチ７０６のゲート入力に接続されている。ゲート駆動コンデンサ７１６は放電スイッチ７１２のゲート入力に結合され、ゲート駆動コンデンサ７１８は放電スイッチ７０８のゲート入力に結合されている。
【００２８】
別の違いは、ゲートスイッチが充電スイッチでなく放電スイッチに結合されていることである。ゲートスイッチ７１４は放電スイッチ７０８のゲート入力に結合され、ゲートスイッチ７２０は放電スイッチ７１２のゲート入力に結合されている。図７の例においては、ゲートスイッチ７１４および７２０はＰＦＥＴである。ゲートスイッチ７１４および７２０のゲート入力は、それぞれゲート駆動コンデンサ７１６および７１８に接続されているのが示されている。
【００２９】
さらに別の相違点は、クランプ回路が充電スイッチでなく放電スイッチのゲート入力における電圧を制限するように結合されていることである。図７において、クランプ回路は、ソースをゲートに電気的に短絡させたＮＦＥＴ７２２および７２４を含む。特定の態様では、ダイオードをＮＦＥＴの代わりに使用することができる。ゲートスイッチおよびクランプ回路は、放電スイッチのゲートにおける電圧を制限して、ゲート端子間の電圧が降伏電圧を超えないようにするのに役立つ。図７のチャージポンプ回路は２つのクロック信号によって駆動されるように示されている。昇圧コンデンサ７０２およびゲート駆動コンデンサ７１６はクロック信号ＣＬＫ１によって駆動され、昇圧コンデンサ７０４およびゲート駆動コンデンサ７１８はクロック信号ＣＬＫ２によって駆動される。別の態様においては、図４の例のように４つの別々のクロック信号を使用して４つのコンデンサを駆動することができる。４つのクロック信号は、５つの動作状態を通じてチャージポンプ回路７００を進めるために、図５のように４相クロック信号方式を提供してもよい。
【００３０】
図８は、別の態様におけるチャージポンプ回路８００の回路図である。図７の回路と同様に、チャージポンプ回路８００は、２つの電荷転送経路と２つの制御回路とを含む。図８の回路は、ゲートスイッチ８１４のゲート入力が昇圧コンデンサ８０２に結合され、ゲートスイッチ８２０のゲート入力が昇圧コンデンサ８０４に結合されている点で図７の回路と異なる。
【００３１】
図９は、別の態様におけるチャージポンプ回路９００の回路図である。本チャージポンプ回路は、前の例と同様に２つの電荷転送回路経路を含む。しかしながら、昇圧コンデンサは（図１の回路におけるように）放電スイッチ、または（図７の回路におけるように）充電スイッチを制御するためには使用されない。代わりに、２つの追加のゲート駆動コンデンサを使用して充電スイッチと放電スイッチの両方を制御する。図１と同様に、ゲート駆動コンデンサ９１６は充電スイッチ９１０のゲート入力に接続され、ゲート駆動コンデンサ９１８は充電スイッチ９０６のゲート入力に接続されている。図７と同様に、ゲート駆動コンデンサ９２６は放電スイッチ９１２のゲート入力に結合され、ゲート駆動コンデンサ９２８は放電スイッチ９０８のゲート入力に結合されている。簡単化のために、２つの別々のＶＩＮ接続と２つの別々のＶＯＵＴ接続を示しているが、実際には、ＶＩＮというラベルの付いた２つのノードは共通の入力接続であり、ＶＯＵＴというラベルの付いた２つのノードは共通の出力接続である。
【００３２】
図９の回路は、４つのゲートスイッチ９１４、９２０、９３０、９３２を含む。ゲートスイッチのゲート入力は、各々ゲート駆動コンデンサに結合されている。ゲートスイッチ９１４のゲート入力はゲート駆動コンデンサ９１６に結合され、ゲートスイッチ９２０のゲート入力はゲート駆動コンデンサ９１８に結合され、ゲートスイッチ９３０のゲート入力はゲート駆動コンデンサ９２６に結合されている。ゲートスイッチ９３２のゲート入力はゲート駆動コンデンサ９２８に結合されている。別の態様においては、図３の例のように、ゲートスイッチのゲート入力を昇圧コンデンサに結合することができる。ゲートスイッチ９１４および９３０のゲート入力は昇圧コンデンサ９０２に結合することができ、ゲートスイッチ９２０および９３２のゲート入力は昇圧コンデンサ９０４に結合することができる。
【００３３】
図９のチャージポンプ回路はまた、充電スイッチおよび放電スイッチのゲートを制限するために２つのクランプ回路を含む。一方のクランプ回路はＰＦＥＴ９２２および９２４を含み、他方のクランプ回路はＮＦＥＴ９３４および９３６を含む。
【００３４】
図９のチャージポンプ回路は、２つのクロック信号によって駆動されるように示されている。昇圧コンデンサ９０２ならびにゲート駆動キャパシタ９１６および９２６はクロック信号ＣＬＫ１によって駆動され、昇圧コンデンサ９０４ならびにゲート駆動キャパシタ９１８および９２８はクロック信号ＣＬＫ２によって駆動される。別の態様においては、ＣＬＫ１およびＣＬＫ２の各々を２つのクロック信号に分離することによって、４つの別々のクロック信号を使用し（図４の例と同様に）６つのコンデンサを駆動することができる。ＣＬＫ１は、昇圧コンデンサ９０２を駆動するための第１のクロック信号と、ゲート駆動コンデンサ９１６および９２６を駆動するための第２のクロック信号とに分離することができる。ＣＬＫ２は、昇圧コンデンサ９０４を駆動するための第１のクロック信号と、ゲート駆動コンデンサ９１８および９２８を駆動するための第２のクロック信号とに分離することができる。４つのクロック信号は、５つの動作状態を通じてチャージポンプ回路９００を進めるために、図５のように４相クロック信号方式を提供することができる。
【００３５】
図１０は、別の態様におけるチャージポンプ回路１０００の回路図である。本回路は、いくつかのゲートスイッチがゲート駆動コンデンサでなく昇圧コンデンサを使用して活性化されることを除いて、図９の回路と同様である。ゲートスイッチ１０１４および１０３０のゲート入力は昇圧コンデンサ１００２に結合され、ゲートスイッチ１０２０および１０３２のゲート入力は昇圧コンデンサ１００４に結合されている。
【００３６】
本明細書で前に記載したチャージポンプ回路の場合、生成された出力電圧ＶＯＵＴはＶＩＮの約２倍である。より高い出力電圧を生成するために、チャージポンプ回路をより多くのチャージポンプ回路と直列に縦続接続して、１つのチャージポンプ回路の出力を次の段への入力として提供することができる。例えば、図１のチャージポンプ回路の２つが、第１のチャージポンプ段および第２のチャージポンプ段として縦続接続されてもよい。第１のチャージポンプ段は、第２段入力の入力に結合される、昇圧電圧を出力で産出するための第１および第２の電荷転送経路を含む。第２のチャージポンプ段は、その入力における電圧を昇圧するための第３および第４の電荷転送経路を含む。各追加段は、その入力電圧をＶＩＮだけ昇圧する。第１のチャージポンプ段の出力はＶＩＮの約２倍であり、第２のチャージポンプ段の出力はＶＩＮの約３倍である。この縦続接続は、より多くのチャージポンプ段に拡張することができる。ＶＩＮが昇圧される回数は、縦続段の数に１を加えた数である。例えば、２つのチャージポンプ段は約３倍のＶＩＮを生成し、３つのチャージポンプ段は約４倍のＶＩＮを産出する。
【００３７】
図１１は、別の態様におけるチャージポンプ回路１１００の回路図である。本回路はＮ個の縦続接続されたチャージポンプセルを含み、ここでＮは正の整数である。各セル１１３８は、その昇圧電圧を次のセルに供給する。チャージポンプセルは、クロック信号ＣＬＫ１とＣＬＫ２が昇圧コンデンサとゲート駆動コンデンサに接続されている、２つのクロック信号例のいずれでもよい。チャージポンプ回路は入力電圧の約Ｎ＋１倍の電圧を生成する。例えば、９個のチャージポンプセル（すなわちＮ＝９）を有するチャージポンプ回路は入力電圧の１０倍を生成する。
【００３８】
図１２は、別の態様におけるチャージポンプ回路１２００の回路図である。本回路はＮ個の縦続接続されたチャージポンプセルを含み、本チャージポンプ回路は入力電圧の約Ｎ＋１倍を生成する。  チャージポンプセル１２３８は、昇圧コンデンサおよびゲート駆動コンデンサを駆動する別々のクロック信号と共に、本明細書に記載の４相クロック方式を使用する。
【００３９】
図１１および図１２のチャージポンプセルは、全てセルのタイプである必要はなく、本明細書に記載のチャージポンプ回路の任意の組み合わせを含むことができる。しかしながら、同じタイプを使用すると、チャージポンプ回路のレイアウトが簡単になる。チャージポンプセルは、同じクロック信号をチャージポンプセルに分配することによって動作させることができる。チャージポンプセルは、集中型クロック回路からのクロック信号を受け取り、分散型クロック信号に対する負荷を軽減するためのクロック信号バッファを含むことができる。
【００４０】
本明細書に記載のチャージポンプ回路によって生成された昇圧電圧は、供給電圧よりも大きい信号を処理するためにＩＣ内で使用することができる。例えば、回路設計者は、スイッチの制御入力に供給される、供給電圧よりも大きい振幅を有する信号をスイッチに通過させたいことがある。通常、このような信号をスイッチ回路に通すと、通常、スイッチはオフになる。例えば、スイッチ回路がＦＥＴを含む場合、大きすぎる振幅を有する入力信号は、ゲートソース間電圧（ＶＧＳ）が降伏点に達することをもたらし得る。これにより、出力信号は、電源電圧またはそのわずかに低い電圧でクリップされる可能性がある。昇圧電圧をスイッチの制御入力に供給することで問題が解決する。
【００４１】
図１３は、チャージポンプ回路１３００、パス回路１３４２、および低ドロップアウト（ＬＤＯ）回路１３４４を含む電子回路１３４０の回路図である。チャージポンプ回路１３００は、複数の縦続接続されたチャージポンプ段を使用して形成されたチャージポンプ回路を含む、本明細書に記載のチャージポンプ回路のうちのいずれかであり得る。パス回路１３４２は、ＮＦＥＴとすることができる。ＬＤＯ回路１３４４は、パス回路１３４４のゲート入力に調整された電圧を供給する。
【００４２】
本明細書に記載のチャージポンプ回路は、それらを集積回路（ＩＣ）用途に有用にするいくつかの利点を提供する。最小入力電圧ＶＩＮは、回路のスイッチの閾値レベルに近くであり得る。最大ＶＩＮは、ＩＣプロセスによって決まる。  例えば、６ボルト（６Ｖ）プロセスを有するＩＣ用のチャージポンプ回路は、最大６．５ＶのＶＩＮに対応できる。チャージポンプ回路の昇圧コンデンサは完全に集積化することができる。縦続接続されたセルは、高い利得を提供することができる。チャージポンプ回路は２つの電荷転送経路間を循環するので、チャージポンプ回路は出力電圧上で低いリップルを示す。チャージポンプ回路は、スイッチのゲート入力における寄生回路の影響を低減するため効率的である。チャージポンプ回路に４相クロッキングを使用すると、回路内の逆電流を防ぐことによって効率がさらに向上する。
【００４３】
追加の説明および態様
態様１は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力に結合された第２の昇圧コンデンサ、回路入力に結合された第２の充電スイッチ、および回路出力に結合された第２の放電スイッチを含む第２の電荷転送回路経路と、第１の放電スイッチのゲート入力に結合された第１のゲートスイッチ、ならびに第３のクロック入力および第２の放電スイッチのゲート入力に結合された第１のゲート駆動コンデンサを含む、第１の充電制御回路と、第２の放電スイッチのゲート入力に結合された第２のゲートスイッチ、ならびに第４のクロック入力および第１の放電スイッチの前記ゲート入力に結合された第２のゲート駆動コンデンサを含む、第２の充電制御回路と、を備えた、（チャージポンプ回路など）構成要件を含むことができる。
【００４４】
態様２において、態様１の構成要件は、第２の放電スイッチのゲート入力に結合された第１の昇圧コンデンサと、第１の放電スイッチのゲート入力に結合された第２の昇圧コンデンサとを、任意選択で含む。
【００４５】
態様３において、態様１および２のうちの１つまたは両方の構成要件は、第１のゲート駆動コンデンサに結合された第１のゲートスイッチのゲート入力と、第２のゲート駆動コンデンサに結合された第２のゲートスイッチのゲート入力と、を任意選択で含む。
【００４６】
態様４において、態様１および２のうちの１つまたは両方の構成要件は、第１の昇圧コンデンサに結合された第１のゲートスイッチのゲート入力と、第２の昇圧コンデンサに結合された第２のゲートスイッチのゲート入力と、を任意選択で含む。
【００４７】
態様５において、態様１〜４のうちの１つまたは任意の組み合わせの構成要件は、第１の充電スイッチのゲート入力、および第２の充電スイッチのゲート入力における電圧を制限するように結合された、クランプ回路を任意選択で含む。
【００４８】
態様６において、態様１〜５のうちの１つまたは任意の組み合わせの構成要件は、第１のクロック信号を受け取る第１のクロック入力および第３のクロック入力と、第１のクロック信号と反対の信号極性を有する第２のクロック信号を受け取る第２のクロック入力および第４のクロック入力と、を任意選択で含む。
【００４９】
態様７において、態様１〜５のうちの１つまたは任意の組み合わせの構成要件は、各々が、５つの動作状態を通じてチャージポンプ回路を進めるために別々のクロック信号を受け取る、第１、第２、第３、および第４のクロック入力を、任意選択で含む。
【００５０】
態様８において、態様１〜５および７のうちの１つまたは任意の組み合わせの構成要件は、各々が、それぞれ第１、第２、第３、および第４のクロック信号を受け取り、第１と第２のクロック信号が、反対の極性を有して重ならず、第３と第４のクロック信号が、反対の極性を有して重ならない、第１、第２、第３、および第４のクロック入力を任意選択で含む。
【００５１】
態様９において、態様１〜８のうちの１つまたは任意の組み合わせの構成要件は、第１段入力と第１段出力との間の第１のチャージポンプ段に含まれる第１および第２の電荷転送経路を任意選択で含み、チャージポンプ回路は、第２段入力と第２段出力との間に結合された第３および第４の電荷転送経路を含む第２のチャージポンプ段をさらに含み、第１段出力が、第２段入力に結合されている。
【００５２】
態様１０において、態様１〜９のうちの１つまたは任意の組み合わせの構成要件は、第３のクロック入力、および第２の放電スイッチのゲート入力に結合された第３のゲート駆動コンデンサと、第４のクロック入力、および第１の放電スイッチのゲート入力に結合された第４のゲート駆動コンデンサと、を任意選択で含む。
【００５３】
態様１１は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力に結合された第２の昇圧コンデンサ、回路入力に結合された第２の充電スイッチ、および回路出力に結合された第２の放電スイッチを含む第２の電荷転送回路経路と、第１の放電スイッチのゲート入力に結合された第１のゲートスイッチ、ならびに第３のクロック入力および第２の放電スイッチのゲート入力に結合された第１のゲート駆動コンデンサを含む、第１の充電制御回路と、第２の放電スイッチの前記ゲート入力に結合された第２のゲートスイッチ、ならびに第４のクロック入力および第１の放電スイッチのゲート入力に結合された第２のゲート駆動コンデンサを含む、第２の充電制御回路と、を含む（チャージポンプ回路など）構成要件を含むか、またはそのような構成要件を含むように、態様１〜１０のうちの１つ、もしくは任意の組み合わせと任意選択で組み合わせることができる。
【００５４】
態様１２において、態様１１の構成要件は、第２の放電スイッチのゲート入力に結合された第１の昇圧コンデンサと、第１の放電スイッチのゲート入力に結合された第２の昇圧コンデンサと、を任意選択で含む。
【００５５】
態様１３において、態様１１および１２のうちの１つまたは両方の構成要件は、第１のゲート駆動コンデンサに結合されている第１のゲートスイッチのゲート入力と、第２のゲート駆動コンデンサに結合されている第２のゲートスイッチのゲート入力と、を任意選択で含む。
【００５６】
態様１４において、態様１１〜１３のうちの１つまたは任意の組み合わせの構成要件は、第１の昇圧コンデンサに結合されている第１のゲートスイッチのゲート入力と、第２の昇圧コンデンサに結合されている第２のゲートスイッチのゲート入力と、を任意選択で含む。
【００５７】
態様１５において、態様１１〜１４のうちの１つまたは任意の組み合わせの構成要件は、第１の放電スイッチのゲート入力、および第２の放電スイッチのゲート入力における電圧を制限するように結合された、クランプ回路を任意選択で含む。
【００５８】
態様１６において、態様１１〜１５のうちの１つまたは任意の組み合わせの構成要件は、第１のクロック信号を受け取る第１のクロック入力および第３のクロック入力と、第１のクロック信号と反対の信号極性を有する第２のクロック信号を受け取る第２のクロック入力および第４のクロック入力と、を任意選択で含む。
【００５９】
態様１７において、例１１〜１５のうちの１つまたは任意の組み合わせの構成要件は、各々が、５つの動作状態を通じてチャージポンプ回路を進めるために別々のクロック信号を受け取る、第１、第２、第３、および第４のクロック入力を任意選択で含む。
【００６０】
態様１８において、態様１１〜１５および１７のうちの１つまたは任意の組み合わせの構成要件は、各々が、それぞれ第１、第２、第３、および第４のクロック信号を受け取る第１、第２、第３、および第４のクロック入力を任意選択で含み、第１と第２のクロック信号が、反対の極性を有して重ならず、第３と第４のクロック信号が、反対の極性を有して重ならない。
【００６１】
態様１９において、態様１１〜１８のうちの１つまたは任意の組み合わせの構成要件は、第３のクロック入力、および第２の放電スイッチのゲート入力に結合された第３のゲート駆動コンデンサと、第４のクロック入力、および第１の充電スイッチのゲート入力に結合された第４のゲート駆動コンデンサと、を任意選択で含む。
【００６２】
態様２０は、チャージポンプ回路、パス回路、および低ドロップアウト（ＬＤＯ）回路を含む（電子回路など）構成要件を含むか、またはそのような構成要件を含むように、態様１〜１９のうちの１つ、もしくは任意の組み合わせと任意選択で組み合わせることができる。チャージポンプ回路は、第１のクロック入力に結合された第１の昇圧コンデンサ、回路入力に結合された第１の充電スイッチ、および回路出力に結合された第１の放電スイッチを含む、結合された第１の電荷転送回路経路と、第２のクロック入力および第１の放電スイッチのゲート入力に結合された第２の昇圧コンデンサ、回路入力に結合された第２の充電スイッチ、ならびに回路出力に結合され、および第１の昇圧コンデンサに結合されたゲート入力を含む第２の放電スイッチを含む、第２の電荷転送回路経路と、第１の放電スイッチのゲート入力に結合された第１のゲートスイッチ、ならびに第３のクロック入力および第２の放電スイッチのゲート入力に結合された第１のゲート駆動コンデンサを含む、第１の充電制御回路と、第２の放電スイッチの前記ゲート入力に結合された第２のゲートスイッチ、ならびに第４のクロック入力および前記第１の放電スイッチの前記ゲート入力に結合された第２のゲート駆動コンデンサを含む、第２の充電制御回路と、を含む。パス回路はゲート入力を含み、ＬＤＯ回路は、チャージポンプ回路の出力に結合されて、調整された電圧をパス回路のゲート入力に供給するように構成されている。
【００６３】
態様２１において、態様２０の構成要件は、第１のクロック信号を受け取る第１のクロック入力および第３のクロック入力と、第１のクロック信号と反対の信号極性を有する第２のクロック信号を受け取る第２のクロック入力および第４のクロック入力と、を任意選択で含む。
【００６４】
態様２２において、態様２０の構成要件は、各々が、５つの動作状態を通じてチャージポンプ回路を進めるために別々のクロック信号を受け取る、第１、第２、第３、および第４のクロック入力を、任意選択で含む。
【００６５】
これらの非限定的な態様は、任意の順列または組み合わせで組み合わせることができる。上記の詳細な記載は、詳細な説明の一部を形成する添付の図面への参照を含む。図面は、例示として、本発明を実施することができる具体的な実施形態を示す。これらの実施形態は、本明細書では「例」とも呼ばれる。この文書で言及される全ての刊行物、特許、および特許文書は、個々に参照により組み込まれるのと同様に、その全体が参照により本明細書に組み込まれる。この文書と、参照によりそのように組み込まれているそれらの文書との間で矛盾する用法がある場合、組み込まれている参考文献における用法は、この文書のそれに対する補足と考えられるべきであり、調整不可能な矛盾については、この文書での使用法が支配する。
【００６６】
本文書では、特許文書で一般的であるように、用語「ａ」または「ａｎ」は、他の事例または、「少なくとも１つ」、または「１つ以上」の使用法とは無関係に、１つ以上を含むように使用される。この文書では、特許文書で一般的であるように、用語「ａ」または「ａｎ」は、他の事例または「少なくとも１つ」または「１つ以上」の使用法とは無関係に、１つ以上を含むように使用される。添付の特許請求の範囲において、用語「含む（ｉｎｃｌｕｄｉｎｇ）」および「その中で（ｉｎ  ｗｈｉｃｈ）」は、それぞれの用語「含む（ｃｏｍｐｒｉｓｉｎｇ）」および「その中で（ｗｈｅｒｅｉｎ）」の平易な英語の等価物として使用される。また、以下の特許請求の範囲において、用語「含む」および「備える」は、無制限であり、すなわち、請求項においてそのような用語の後に列挙されたものに加えて、構成部分を含むシステム、装置、物品、またはプロセスは、依然としてその請求項の範囲内にあると見なされる。さらに、以下の特許請求の範囲において、「第１」、「第２」、および「第３」などの用語は単にラベルとして使用されており、それらの目的に数値的要件を課すことを意図しない。本明細書に記載の方法の例は、少なくとも部分的に機械またはコンピュータで実装することができる。
【００６７】
上記の説明は例示的であり、限定的ではないことを意図している。例えば、上記の例（またはその１つ以上の態様）を互いに組み合わせて使用することができる。上記の説明を検討すると、例えば当業者によって、他の実施形態を使用することができる。要約は、技術的開示の性質を読者が迅速に確認できるようにするために、３７Ｃ．Ｆ．Ｒ．§１．７２（ｂ）に準拠するために提供されている。それは、特許請求の範囲または意味を解釈または限定するために使用されることはないとの理解のもとに提出されている。また、上記の詳細な説明では、開示を能率化するために様々な特徴を一緒にグループ化することができる。これは、請求されていない開示された機能が、いかなる請求項にも不可欠であると意図していると解釈されるべきではない。むしろ、発明の構成要件は、特定の開示された実施形態の全ての特徴より少ない特徴にあり得る。したがって、以下の特許請求の範囲は、詳細な説明に組み込まれており、各請求項は別々の実施形態として独立している。本発明の範囲は、添付の特許請求の範囲を参照して、そのような特許請求の範囲が権利を有する等価物の全範囲と共に決定されるべきである。
【符号の説明】
【００６８】
１００  チャージポンプ回路
１０２  第１の昇圧コンデンサ
１０４  第２の昇圧コンデンサ
１０６  第１の充電スイッチ
１０８  第１の放電スイッチ
１１０  第２の充電スイッチ
１１２  第２の放電スイッチ
１１４  ゲートスイッチ
１１６、１１８  ゲート駆動コンデンサ
１２０  ゲートスイッチ
３００  チャージポンプ回路
３０２、３０４  昇圧コンデンサ
３１４、３２０  ゲートスイッチ
４００  チャージポンプ回路
４０２  昇圧コンデンサ
４０４、４０６  昇圧コンデンサ
４０６  充電スイッチ
４０８  放電スイッチ
４１０  充電スイッチ
４１２  放電スイッチ
４１４  ゲートスイッチ
４１６、４１８  ゲート駆動コンデンサ
４２０  ゲートスイッチ
７００  チャージポンプ回路
７０２、７０４  昇圧コンデンサ
７０６  充電スイッチ
７０８  放電スイッチ
７１０  充電スイッチ
７１２  放電スイッチ
７１４  ゲートスイッチ
７１６、７１８  ゲート駆動コンデンサ
７２０  ゲートスイッチ
８００  チャージポンプ回路
８０２  昇圧コンデンサ
８０４  昇圧コンデンサ
８１４、８２０  ゲートスイッチ
９００  チャージポンプ回路
９０２  昇圧コンデンサ
９０４  昇圧コンデンサ
９０６  充電スイッチ
９０８  放電スイッチ
９１０  充電スイッチ
９１２  放電スイッチ
９１４  ゲートスイッチ
９１６  ゲート駆動コンデンサ
９１８  ゲート駆動コンデンサ
９２０  ゲートスイッチ
９２６、９２８  ゲート駆動コンデンサ
９３０、９３２  ゲートスイッチ
１０００  チャージポンプ回路
１００２、１００４  昇圧コンデンサ
１０１４、１０２０、１０３０、１０３２  ゲートスイッチ
１１００  チャージポンプ回路
１１３８  セル
１２００  チャージポンプ回路
１２３８  チャージポンプセル
１３００  チャージポンプ回路
１３４０  電子回路
１３４２  パス回路
１３４４  回路
【図１】
2019201546.tif 000003
【図２】
2019201546.tif 000004
【図３】
2019201546.tif 000005
【図４】
2019201546.tif 000006
【図５】
2019201546.tif 000007
【図６】
2019201546.tif 000008
【図７】
2019201546.tif 000009
【図８】
2019201546.tif 000010
【図９】
2019201546.tif 000011
【図１０】
2019201546.tif 000012
【図１１】
2019201546.tif 000013
【図１２】
2019201546.tif 000014
【図１３】
2019201546.tif 000015
【外国語明細書】
2019201546000001.pdf